(57)【要約】【課題】  矯正用眼鏡の利用者が、既存の主眼鏡に着脱自在であり、尚且つズレや剥脱のない高い固着性を持ちながらも傷などは付けず、また主眼鏡の外観のデザイン性を損なわない軽量で安価な眼鏡に着脱自在な前掛けレンズの取付具を提供する。【解決手段】  主眼鏡Wに着脱自在な前掛けレンズRにおいて主眼鏡Wの左右各々のレンズのブリッジ２２及び智２３に対して係止に最適な前掛けレンズRの左右各々のレンズ材１３の位置に複数個取付けられる取付具Vは、前掛けレンズRのレンズ材１３に取付けるための取付け部１２と、取付け部１２から延在する先端が自由端な螺旋状の形態のフック１１とから成り、その取付具Vは柔軟で弾力性があり復元力を備えた材質にて成形されており、そして、前掛けレンズRを主眼鏡Wに装着する際は、前掛けレンズRに取付けられた取付具Vのフック１１を主眼鏡Wの左右各々のレンズのブリッジ２２及び智２３に巻き付けるような構成を採用している。【選択図】  図８
2006227032.tif 000002
【特許請求の範囲】
【請求項１】
主眼鏡に着脱自在な前掛けレンズの左右各々のレンズ材に複数個取付けられる取付具であって、前記前掛けレンズの前記レンズ材に取付けるための取付け部と、前記主眼鏡に係止するために前記取付け部から延在するフックとから成り、前記取付具の前記取付け部と前記フックは柔軟で弾力性があり復元力を備えた材質にて一体成形されており、前記主眼鏡に前記前掛けレンズを装着する際は前記前掛けレンズに固定された前記取付具の前記フックを用いて前記主眼鏡に係止するように構成されていることを特徴とする眼鏡に着脱自在な前掛けレンズの取付具。
【請求項２】
主眼鏡に着脱自在な前掛けレンズの左右各々のレンズ材に複数個取付けられる取付具であって、前記前掛けレンズの前記レンズ材に取付けるための取付け部と、前記主眼鏡に係止するために前記取付け部から延在するフックとから成り、少なくとも前記取付具の前記フックは柔軟で弾力性があり復元力を備えた材質にて成形されており、前記主眼鏡に前記前掛けレンズを装着する際は前記前掛けレンズに固定された前記取付具の前記フックを用いて前記主眼鏡に係止するように構成されていることを特徴とする眼鏡に着脱自在な前掛けレンズの取付具。
【請求項３】
前記主眼鏡の左右各々のレンズのブリッジ及び智に対して係止に最適な前記前掛けレンズの左右各々のレンズ材の位置に取付けられる前記取付具であって、該取付具の前記フックは先端が自由端な螺旋状の形態を成しており、前記前掛けレンズを前記主眼鏡に装着する際に前記主眼鏡の左右各々の前記レンズの前記ブリッジ及び前記智に対して巻き付くような構成で係止することを特徴とする請求項１または請求項２に記載の眼鏡に着脱自在な前掛けレンズの取付具。
【請求項４】
前記主眼鏡の左右各々のレンズ又はレンズフレームの縁部に対して係止に最適な前掛けレンズの左右各々のレンズ材の位置に取付けられる前記取付具であって、該取付具の前記フックは先端が自由端なほぼＵ字状の形態を成しており、前記前掛けレンズを前記主眼鏡に装着する際に前記主眼鏡の左右各々の前記レンズ又は前記レンズフレームの前記縁部に対して挟み付くような構成で係止することを特徴とする請求項１または請求項２に記載の眼鏡に着脱自在な前掛けレンズの取付具。
【発明の詳細な説明】
【技術分野】
【０００１】
本発明は、眼鏡に着脱自在な前掛けレンズの取付具、更に詳しくは、単独にて販売される眼鏡の前面に重ね配置できる偏光用レンズ又は矯正用レンズ等の前掛け用のレンズに取付けられる構造であり、簡単かつ確実に眼鏡へ着脱を自在に行える構造のフックを有する取付具に関するものである。    
【背景技術】
【０００２】
従来、眼鏡を使用している者が偏光用などの前掛けレンズを使用するためには幾つかの手段があり、その１つにはコンタクトレンズを着用して市販のサングラスなどの偏光用眼鏡を使用する方法がある。
【０００３】
また、主眼鏡に予め前掛けレンズを着脱できる着脱具を備えたセット構造の眼鏡も存在する。
【０００４】
例えば、特許文献１及び特許文献２及び特許文献３には、前掛けレンズの左右のレンズ材が連結部材により一体型となった前掛けレンズにおいて、前掛けレンズの左右両端の智（ち）部又は中央のブリッジ部に設けられた係止具が、主眼鏡の左右両端の智部又は中央のブリッジ部の係止具に磁性体を利用し装着できる、着脱眼鏡取付装置、及び着脱眼鏡取付装置・着脱眼鏡および主眼鏡、及び前掛け眼鏡が記載されている。
【０００５】
また、例えば、特許文献４及び特許文献５には、前掛けレンズの左右が各々単独の独立型となったレンズ材の前掛けレンズにおいて、主眼鏡に前掛けレンズを着脱する為の専用の係止機構が前掛けレンズ及び主眼鏡の各々の智部及びブリッジ部に備えられており、この係止機構を備えた前掛けレンズ及び主眼鏡にのみ装着ができる、主眼鏡に対する着脱レンズの取付構造、及びサングラスレンズ装着機構が記載されている。
【０００６】
また、通常の主眼鏡の前面に偏光用などの前掛けレンズの係止具を用い装着する前掛けレンズも幾種か存在する。
【０００７】
例えば、特許文献６及び特許文献７及び特許文献８には、前掛けレンズの左右各レンズ材の上縁と外側下角部に設けられた係止具が、主眼鏡の左右各レンズ又はレンズフレームの上縁と外側下角部に係止され主眼鏡に装着できる、左右のレンズ材が連結部材により一体型となった、眼鏡に装着して使用する補正又は矯正用グラス及びその組立て用治具、及び簡易前掛眼鏡、及び眼鏡に取り付ける遮光具及びそれを構成する部品が記載されている。
【０００８】
また、例えば、特許文献９には、前掛けレンズのレンズフレーム部の左右各々外側に設けられた係止具が、主眼鏡の左右各々の智部に係止され主眼鏡に装着できる、左右のレンズ材が連結フレーム部材により一体型となった、前掛眼鏡が記載されている。
【０００９】
また、例えば、特許文献１０には、前掛けレンズの左右が各々単独の独立型となったレンズ材の外周面に凹溝を形成し、その溝部に係止具が複数個糸部材により設けられ、主眼鏡の左右レンズの各々のブリッジ位置及び智位置のレンズフレームに対し係止をおこない装着できる、サングラス及び眼鏡取付具が記載されている。
【００１０】
また、例えば、特許文献１１には、前掛けレンズの上縁中央に設けられた係止用クリップにより、主眼鏡の中央上縁に装着できる、左右のレンズ材が一体型となった取りはずし可能サングラスが記載されている。
【特許文献１】特許公開２０００−０７５２５３  公報
【特許文献２】特許公開２００３−１４９６０７  公報
【特許文献３】登録実用新案第３０３１８８１号  公報
【特許文献４】特許公開２００１−１３４６６  公報
【特許文献５】登録実用新案第３１００５０８号  公報
【特許文献６】特許公開平９−１３８３７４  公報
【特許文献７】特許公開２００１−１３３７４０  公報
【特許文献８】特許公開平９−２６９４６６  公報
【特許文献９】特許公開２０００−１６２５５７  公報
【特許文献１０】登録実用新案第３０２５９９３号  公報
【特許文献１１】登録実用新案第３０２０５１６号  公報
【発明の開示】
【発明が解決しようとする課題】
【００１１】
以上に述べた、従来の矯正用眼鏡を使用している者が偏光用レンズを使用するために、コンタクトレンズを着用して市販のサングラスなどの偏光用眼鏡を使用する方法には、コンタクトレンズの価格面・維持面・着脱の手間面、又はコンタクトレンズに対してドライアイなどの生態面から、コンタクトレンズを使用しない又は出来ないという問題がある。
【００１２】
また、主眼鏡に予め前掛けレンズを着脱できる着脱具を備えたセット構造の眼鏡も存在するが、この類の眼鏡には特殊な専用の係止機構を用いている例が多く、その為価格が高価であり、又デザインの選択幅も少なく使用者好みの眼鏡が見つからないという問題がある。
【００１３】
例えば、上記のような特許文献１及び特許文献２及び特許文献３には、前掛けレンズの左右のレンズ材が連結部材により一体型となった前掛けレンズにおいて、前掛けレンズの左右両端の智部又は中央のブリッジ部に設けられた係止具が、主眼鏡の左右両端の智部又は中央のブリッジ部の係止具に磁性体を利用し装着できる、着脱眼鏡取付装置、及び着脱眼鏡取付装置・着脱眼鏡および主眼鏡、及び前掛け眼鏡が記載されているが、特許文献１及び特許文献２及び特許文献３が係止具に使用している磁性体には、磁力が強いと前掛けレンズの取外し時が困難だったり、又磁力が弱いと前掛けレンズが運動などによって不意にズレたり剥脱する恐れがあり、最適な磁力の固定度合いが難しく、更に着用を常時続ける眼鏡において微弱ではあっても磁力を発し続けることによる人体への懸念もあり、又電話器の使用においても磁力の影響による故障などの懸念がある。
【００１４】
また、例えば、上記のような特許文献４及び特許文献５には、前掛けレンズの左右が各々単独の独立型となったレンズ材の前掛けレンズにおいて、主眼鏡に前掛けレンズを着脱する為の専用の係止機構が前掛けレンズ及び主眼鏡の各々の智部及びブリッジ部に備えられており、この係止機構を備えた前掛けレンズ及び主眼鏡にのみ装着ができる、主眼鏡に対する着脱レンズの取付構造、及びサングラスレンズ装着機構が記載されているが、特許文献４及び特許文献５が構成する係止具は独創的な形状であり、前掛けレンズを装着していない時の主眼鏡に違和感を与える外観である。
【００１５】
更に、上記の特許文献４の前掛けレンズは、主眼鏡に装着する際に眼鏡側の係止具のガイド突起を前掛けレンズの係止具の一部であるガイド孔に貫通させる必要があるが、この微妙な作業を視力に問題を持つ眼鏡利用者が行うには容易ではない懸念がある。
【００１６】
また更に、上記の特許文献５は、主眼鏡のブリッジ部及び智部に位置する箇所に切り込みを入れた前掛けレンズを主眼鏡のブリッジ部及び智部に着脱する構成であるが、主眼鏡のブリッジ部及び智部の係止具の距離は一定であり、そこへ切り込みを入れた前掛けレンズを差し込むには前掛けレンズの切り込みに隙間の余裕がなくては差し込むことができず、その場合には前掛けレンズは主眼鏡に対し係止具の固着性が低くズレやガタツキ又は剥脱という係止具の固着性について懸念がある。
【００１７】
また、通常の主眼鏡の前面に偏光用などの前掛けレンズの係止具を用い装着する前掛けレンズも幾種か存在するが、係止具の固着性について懸念がある。
【００１８】
例えば、特許文献６には、前掛けレンズの左右各レンズ材の上縁と外側下角部に設けられた係止具が、主眼鏡の左右各レンズの上縁と外側下角部に係止され主眼鏡に装着できる、左右のレンズ材が連結部材により一体型となった、眼鏡に装着して使用する補正又は矯正用グラス及びその組立て用治具が記載されているが、主眼鏡に対して前掛けレンズの係止具が接触係止する部位は形状がほぼＵ型に固定された複数個のフックであり、このフックが前掛けレンズの上縁に設けられた撓み変形可能な細長い連結部材の形状記憶材料の復元力により主眼鏡の左右各レンズ又はレンズフレームの上縁と外側下角部に係止される構成であるが、この構成では前掛けレンズの係止には撓み変形可能な細長い連結部材の形状記憶材料の復元力にその固着力の大半を頼っており、主眼鏡に対しての前掛けレンズの係止具はその形状がほぼＵ型であることから、挟み付けや嵌め込み付けなどの係止方法ではなく引掛けている程度のものであり、運動などによってズレや剥脱という主眼鏡に対して前掛けレンズの固着性という重要な面で懸念がある。
【００１９】
更に、上記の特許文献６の前掛けレンズに備えられる係止具のフック部材が、主眼鏡に接触するレンズ又はレンズフレームの縁面及び裏面に対してはクッション材として柔軟なプラスチック性チューブにより保護されているが、主眼鏡の前面に対しては前掛けレンズのレンズ材に係止具を固定するためのボルトの突出部が剥き出しになっており、主眼鏡のレンズ又はレンズフレームを傷つける懸念がある。
【００２０】
また、例えば特許文献７及び特許文献８には、前掛けレンズの左右各レンズ材の上縁と外側下角部に設けられた係止具が、主眼鏡の左右各レンズ又はレンズフレームの上縁と外側下角部に係止され主眼鏡に装着できる、左右のレンズ材が連結部材により一体型となった、簡易前掛眼鏡、及び眼鏡に取り付ける遮光具及びそれを構成する部品が記載されているが、主眼鏡に対して前掛けレンズの係止具が接触係止する部位は形状がほぼＬ型を成した複数個のフックであり、このフックが主眼鏡の左右各レンズ又はレンズフレームの上縁と外側下角部に引掛けて係止される構成であるが、この構成による主眼鏡への装着方法では係止具のほぼＬ型を成したフックの先端部が長い寸法を確保できず、このことは前掛けレンズを主眼鏡に対して嵌めるだけという装着し易い手段の反面、外れてしまい易いという主眼鏡に対して前掛けレンズの固着性という重要な面で懸念がある。
【００２１】
また、例えば、特許文献９には、前掛けレンズのレンズフレーム部の左右各々外側に設けられた係止具が、主眼鏡の左右各々の智部に係止され主眼鏡に装着できる、左右のレンズ材が連結フレーム部材により一体型となった、前掛眼鏡が記載されていが、既に所持している主眼鏡に対して前掛けレンズのレンズフレームに金属線材を使用する特注品的な構成に成っており、これはとても高価になってしまう懸念がある。
【００２２】
更に、上記の特許文献９の前掛けレンズに備えられる係止具では、主眼鏡に前掛けレンズを着脱する際に前掛けレンズに備えられた係止具の間隔に余裕のない形態で構成されているので、係止具のフック部が主眼鏡のレンズ又はレンズフレームに引掛け傷を付けてしまう懸念がある。
【００２３】
また、上記の特許文献９の図３の実施変形例の係止具では、主眼鏡に対しての前掛けレンズの左右外側に備えられた2箇所の係止具を主眼鏡の智部に上方から引掛けているだけなので固着性が低く、容易に前掛けレンズがズレたり剥脱してしまったりという主眼鏡に対して前掛けレンズの固着性という重要な面で懸念がある。
【００２４】
また、例えば、特許文献１０には、前掛けレンズの左右が各々単独の独立型となったレンズ材の外周面に凹溝を形成し、その溝部に係止具が複数個糸部材により設けられ、主眼鏡の左右レンズの各々のブリッジ位置及び智位置のレンズフレームに対し係止をおこない装着できる、サングラス及び眼鏡取付具が記載されているが、前掛けレンズ材の外周部に凹溝を形成しなければいけないという特殊加工が必要であり、又係止具を前掛けレンズ材に係止するための糸部材も必要であるという特注品的な構成に成っており、これはとても高価になってしまう懸念がある。
【００２５】
更に、上記の特許文献１０の前掛けレンズに備えられる係止具では、主眼鏡に前掛けレンズを着脱する際にフック部が主眼鏡のレンズ又はレンズフレームに引掛け傷を付けてしまう恐れがあり、又主眼鏡の前面から前掛けレンズの係止具を嵌め込むという装着方法では係止具のほぼコの字型を成したフックの先端部が長い寸法を確保できず、このことは前掛けレンズを主眼鏡に装着し易い反面、外れてしまい易いという主眼鏡に対して前掛けレンズの固着性という重要な面で懸念がある。
【００２６】
また、例えば、特許文献１１には、前掛けレンズの上縁中央に設けられた係止用クリップにより、主眼鏡の中央上縁に装着できる、左右のレンズ材が一体型となった取りはずし可能サングラスが記載されているが、この構成では前掛けレンズの主眼鏡への着脱は容易に行うことが可能であるが、前掛けレンズを主眼鏡に装着している時に前掛けレンズの係止用クリップが使用者の視界に入り違和感を覚える問題がある。
【００２７】
本発明は、従来の上記のような問題点を解決し、主眼鏡のレンズ又はレンズフレームに傷を付けず、又ズレや剥脱を起さない高い固着性と安定性を持ち、尚且つ使い易く簡素な構造の眼鏡に着脱自在な前掛けレンズの取付具を提供するものである。
【課題を解決するための手段】
【００２８】
そして、本発明は上記のような課題を解決するために、主眼鏡Wに着脱自在な前掛けレンズRの左右各々のレンズ材１３に複数個取付けられる取付具Vであって、前掛けレンズRのレンズ材１３に取付けるための取付け部１２と、主眼鏡Wに係止するために取付け部１２から延在するフック１１とから成り、取付具Vの取付け部１２とフック１１は柔軟で弾力性があり復元力を備えた材質にて一体成形されており、主眼鏡Wに前掛けレンズRを装着する際は前掛けレンズRに固定された取付具Vのフック１１を用いて主眼鏡Wに係止する。
【００２９】
または、主眼鏡Wに着脱自在な前掛けレンズRの左右各々のレンズ材１３に複数個取付けられる取付具Vであって、前掛けレンズRのレンズ材１３に取付けるための取付け部１２と、主眼鏡Wに係止するために取付け部１２から延在するフック１１とから成り、少なくとも取付具Vのフック１１は柔軟で弾力性があり復元力を備えた材質にて成形されており、主眼鏡Wに前掛けレンズRを装着する際は前掛けレンズRに固定された取付具Vのフック１１を用いて主眼鏡Wに係止する。
【００３０】
そして、主眼鏡Wの左右各々のレンズのブリッジ２２及び智２３に対して係止に最適な前掛けレンズRの左右各々のレンズ材１３の位置に取付けられる取付具Vのフック１１は、先端が自由端な螺旋状の形態を成しており、前掛けレンズRを主眼鏡Wに装着する際に主眼鏡Wの左右各々のレンズのブリッジ２２及び智２３に対して巻き付くように係止する構成を採用している。
【００３１】
または、主眼鏡Wの左右各々のレンズ又はレンズフレーム２１の縁部に対して係止に最適な前掛けレンズRの左右各々のレンズ材１３の位置に取付けられる取付具Vのフック１１は、先端が自由端なほぼＵ字状の形態を成しており、前掛けレンズRを主眼鏡Wに装着する際に主眼鏡Wの左右各々のレンズ又はレンズフレーム２１の縁部に対して挟み付くように係止する構成を採用している。
【発明の効果】
【００３２】
上述したように本発明の眼鏡に着脱自在な前掛けレンズの取付具は、前掛けレンズのレンズ材に取付けるための取付け部と、取付け部から延在する主眼鏡に係止するためのフックとから成り、少なくとも取付具のフックは柔軟で弾力性があり復元力を備えた材質にて成形されているので、主眼鏡に前掛けレンズを装着する際にフックは柔軟な捻れ軌道を描き容易に係止することができる。
【００３３】
また、上記の前掛けレンズの左右各々のレンズ材に複数個取付けられる取付具は、主眼鏡の左右各々のレンズのブリッジ及び智に対して係止に最適な位置に取付けられており、主眼鏡に係止するための先端が自由端で巻き付け易い螺旋状の形態を成す取付具のフックは、材質の柔軟性と弾力性を生かし主眼鏡の左右各々のレンズのブリッジ及び智に捻りながら絡めるように巻き付けることができ、更に材質の復元力が常に主眼鏡のブリッジ及び智に対して働いているので、極めて高い固着力へと変化して主眼鏡と前掛けレンズとのズレや剥脱といった重大な懸念を解決できる。
【００３４】
または、前掛けレンズの左右各々のレンズ材に複数個取付けられる取付具の別形態は、主眼鏡の左右各々のレンズ又はレンズフレームの縁部に対して係止に最適な位置に取付けられており、主眼鏡に係止するための先端が自由端なほぼＵ字状の形態を成す取付具のフックは、材質の柔軟性と弾力性を生かし主眼鏡の左右各々のレンズ又はレンズフレームの縁部に対して挟むように取り付けることができ、更に材質の復元力が常に主眼鏡のレンズ又はレンズフレームに対して働いているので、極めて高い固着力へと変化して主眼鏡と前掛けレンズとのズレや剥脱といった重大な懸念を解決できる。
【００３５】
更に、前掛けレンズに取付けられる取付具は、柔軟で弾力性があり復元力を備えた材質の部材を使用することで、主眼鏡へ前掛けレンズを着脱の際または装着中にキズを付けてしまう問題も解決できる。
【００３６】
また更に、新規購入又は既存の主眼鏡であっても、主眼鏡のレンズ又はレンズフレームに合わせた任意の形状の前掛けレンズ用のレンズ材を用意し、そのレンズ材の主眼鏡に対して係止するのに最適な位置に取付具を固定するだけで、主眼鏡のデザイン性を損なわない又はオリジナルな前掛けレンズが簡単に得られるので、使用者は好みの主眼鏡を選択・所持することができる。
【発明を実施するための最良の形態】
【００３７】
以下、本発明の眼鏡に着脱自在な前掛けレンズの取付具の実施形態を図面の参照に基づいて詳しく説明する。
【００３８】
図１から図３は、本発明の眼鏡に着脱自在な前掛けレンズの取付具において、前掛けレンズＲのレンズ材１３に接着剤などで固定された取付け部１２と、取付け部１２から延在する主眼鏡Ｗに係止するためのフック１１は、柔軟で弾力性があり復元力を備えた材質（例えばシリコンなどの樹脂成形材）の一体成形で構成された取付具Ｖが、主眼鏡Ｗのブリッジ２２又は智２３に係止した状態の実施形態の実施例を示した要部拡大図である。
【実施例１】
【００３９】
第１の実施形態の実施例を示す図１のＡは、前掛けレンズＲに取付けられた取付具Ｖのフック１１は、柔軟で弾力性があり復元力を備えた材質（例えばシリコンなどの樹脂成形材）であり、その形状は主眼鏡Ｗのブリッジ２２に対し巻き付け易い螺旋状の形態を成しており、自由端なフック１１の先端部が内側に向いた形状で構成されている。
【００４０】
また、上記の前掛けレンズＲに取付けられた取付具Ｖのフック１１は、その柔軟で弾力性があり復元力を備えた材質（例えばシリコンなどの樹脂成形材）の特徴を生かし、フックの自由端を広げた巻き付け時の仮想形状１１ａからフックの巻き付け時の捻れ軌道１１ｂを描き、主眼鏡Ｗのブリッジ２２に巻き付くような構成で係止されるので、主眼鏡Ｗに対し高い固着力を発揮し前掛けレンズＲがズレたり剥脱する恐れもなく、尚且つ柔軟で弾力性のある材質なので主眼鏡Ｗに係止しても傷を付ける心配がない。
【実施例２】
【００４１】
第２の実施形態の実施例を示す図１のＢは、前掛けレンズＲに取付けられた取付具Ｖのフック１１は、柔軟で弾力性があり復元力を備えた材質（例えばシリコンなどの樹脂成形材）であり、その形状は主眼鏡Ｗのブリッジ２２に対し巻き付け易い螺旋状の形態を成しており、自由端なフック１１の先端部が外側に向いた形状で構成されている。
【００４２】
また、上記の前掛けレンズＲに取付けられた取付具Ｖのフック１１は、その柔軟で弾力性があり復元力を備えた材質（例えばシリコンなどの樹脂成形材）の特徴を生かし、フックの自由端を広げた巻き付け時の仮想形状１１ａからフックの巻き付け時の捻れ軌道１１ｂを描き、主眼鏡Ｗのブリッジ２２に巻き付くような構成で係止されるので、主眼鏡Ｗに対し高い固着力を発揮し前掛けレンズＲがズレたり剥脱する恐れもなく、尚且つ柔軟で弾力性のある材質なので主眼鏡Ｗに係止しても傷を付ける心配がない。
【実施例３】
【００４３】
第３の実施形態の実施例を示す図１のＣは、前掛けレンズＲに取付けられた取付具Ｖのフック１１は、柔軟で弾力性があり復元力を備えた材質（例えばシリコンなどの樹脂成形材）であり、その形状は主眼鏡Ｗのレンズ又はレンズフレーム２１に対し挟み易いほぼＵ字状の形態を成しており、自由端なフック１１の先端部が外側に向いた形状で構成されている。
【００４４】
また、上記の前掛けレンズＲに取付けられた取付具Ｖのフック１１は、その柔軟で弾力性があり復元力を備えた材質（例えばシリコンなどの樹脂成形材）の特徴を生かし、フックの自由端を広げた挟み付け時の仮想形状１１ａからフックの挟み付け時の捻れ軌道１１ｂを描き、主眼鏡Ｗのレンズ又はレンズフレーム２１に挟み付くような構成で係止されるので、主眼鏡Ｗに対し高い固着力を発揮し前掛けレンズＲがズレたり剥脱する恐れもなく、尚且つ柔軟で弾力性のある材質なので主眼鏡Ｗに係止しても傷を付ける心配がない。
【実施例４】
【００４５】
第４の実施形態の実施例を示す図２は、前掛けレンズＲに取付けられた取付具Ｖのフック１１、柔軟で弾力性があり復元力を備えた材質（例えばシリコンなどの樹脂成形材）であり、その形状は主眼鏡Ｗのブリッジ２２に対し巻き付け易い螺旋状の形態を成しており、更にフック１１は左右の前掛けレンズＲの主眼鏡Ｗのブリッジ２２側の取付具Ｖと連結されている形状で構成されている。
【００４６】
また、上記の前掛けレンズＲに取付けられた取付具Ｖのフック１１は、その柔軟で弾力性があり復元力を備えた材質（例えばシリコンなどの樹脂成形材）の特徴を生かし、フックの自由端を広げた巻き付け時の仮想形状１１ａからフックの巻き付け時の捻れ軌道１１ｂを描き、主眼鏡Ｗのブリッジ２２に巻き付くような構成で係止されるので、主眼鏡Ｗに対し高い固着力を発揮し前掛けレンズＲがズレたり剥脱する恐れもなく、尚且つ柔軟で弾力性のある材質なので主眼鏡Ｗに係止しても傷を付ける心配がない。
【実施例５】
【００４７】
第５の実施形態の実施例を示す図３は、前掛けレンズＲに取付けられた取付具Ｖのフック１１は、柔軟で弾力性があり復元力を備えた材質（例えばシリコンなどの樹脂成形材）であり、その形状は主眼鏡Ｗの智２３に対し巻き付け易い螺旋状の形態を成しており、自由端なフック１１の先端部が外側に向いた形状で構成されている。
【００４８】
また、上記の前掛けレンズＲに取付けられた取付具Ｖのフック１１は、その柔軟で弾力性があり復元力を備えた材質（例えばシリコンなどの樹脂成形材）の特徴を生かし、フックの自由端を広げた巻き付け時の仮想形状１１ａからフックの巻き付け時の捻れ軌道１１ｂを描き、主眼鏡Ｗの智２３に巻き付くような構成で係止されるので、主眼鏡Ｗに対し高い固着力を発揮し前掛けレンズＲがズレたり剥脱する恐れもなく、尚且つ柔軟で弾力性のある材質なので主眼鏡Ｗに係止しても傷を付ける心配がない。
【００４９】
図４は本発明の眼鏡に着脱自在な前掛けレンズの取付具において、前掛けレンズＲを主眼鏡Ｗに装着した状態の取付具Ｖの要部拡大図である。
【００５０】
図４のＡは、前掛けレンズＲを主眼鏡Ｗに装着した状態の主眼鏡Ｗのブリッジ２２部分を示す要部拡大図であり、前掛けレンズＲに備えられた取付具Ｖのフック１１が主眼鏡Ｗのブリッジ２２に巻き付いている様子を表しており、前掛けレンズＲが主眼鏡Ｗに対して高い固着力を発揮することを示している。
【００５１】
また、図４のＢは、前記実施例５に記載の前掛けレンズＲを主眼鏡Ｗに装着した状態の主眼鏡Ｗの智２３部分を示す要部拡大図であり、前掛けレンズＲに備えられた取付具Ｖのフック１１が、主眼鏡Ｗの智２３に巻き付いている様子を表しており、前掛けレンズＲが主眼鏡Ｗに対して高い固着力を発揮することを示している。
【００５２】
更に、上記の前掛けレンズＲに備えられた取付具Ｖは、柔軟で弾力性がある材質（例えばシリコンなどの樹脂成形材）の部材を利用しているので、主眼鏡Ｗのレンズ又はレンズフレーム２１に接触していても傷を付ける心配がない。
【００５３】
また更に、上記の前掛けレンズＲに備えられた取付具Ｖは、柔軟で弾力性があり復元力を備えた材質（例えばシリコンなどの樹脂成形材）の部材を利用して巻き付ける方法で係止するので、主眼鏡Ｗのブリッジ２２及び智２３の太さ寸法が太くても細くても対応が可能である。
【００５４】
図５は本発明の眼鏡に着脱自在な前掛けレンズの取付具において、前掛けレンズＲの取付具Ｖのフック１１部分の形態と螺旋構造のイメージを示す部品詳細図である。
【００５５】
図５のＡは、前記実施例１に記載の前掛けレンズＲに備えられる取付具Ｖのフック１１の形状であり、主眼鏡Ｗのブリッジ２２に係止されるフック１１の螺旋が内巻きに捻れる形態を成していることを示している。
【００５６】
また、図５のＢは、前記実施例１に記載の前掛けレンズＲに備えられる取付具Ｖのフック１１の変形形状の実施例であり、主眼鏡Ｗのブリッジ２２に係止されるフック１１の螺旋が外巻きに捻れる形態を成していることを示している。
【００５７】
また、図５のＣは、前記実施例５に記載の前掛けレンズＲに備えられる取付具Ｖのフック１１の形状であり、主眼鏡Ｗの智２３に係止されるフック１１の螺旋が外巻きに捻れる形態を成していることを示している。
【００５８】
以上のように上記で述べた前掛けレンズＲに取付けられる取付具Ｖのフック１１の螺旋構造は、螺旋状の形態を成すことでフック１１の先端の自由端がズレ開放しているので、主眼鏡Ｗのブリッジ２２又は智２３に対して係止し易いような構造であり、更に螺旋状の形態と柔軟で弾力性があり復元力を備えた材質（例えばシリコンなどの樹脂成形材）を利用することにより、主眼鏡Ｗのブリッジ２２又は智２３に巻き付けという係止手段を用いることができ、前掛けレンズＲが主眼鏡Ｗに対して高い固着力を発揮することができる。
【００５９】
図６は本発明の眼鏡に着脱自在な前掛けレンズの取付具において、前掛けレンズＲに取付けられる取付具Ｖのフック１１の柔軟で弾力性があり復元力を備えた材質（例えばシリコンなどの樹脂成形材）の構造のイメージを示す部品詳細図を示しており、この材質の利用によりフックの巻き付け時の捻れ軌道１１ｂを経て、フックの自由端を広げた巻き付け時の仮想形状１１ａが示す形状に変形を成しえ、主眼鏡Ｗのブリッジ２２又は智２３に係止の際に容易に巻き付けを行うことができる。
【００６０】
図７は本発明の眼鏡に着脱自在な前掛けレンズの取付具において、前掛けレンズＲに取付けられた取付具Ｖの取付け部１２の部品形態を示す部品詳細図である。
【００６１】
図７のＡは、前記実施例１に記載のフック１１の変形形状の一実施例において、前掛けレンズＲに取付けられた取付具Ｖの取付け部１２が、レンズ材１３の縁部に対し挟み込むような断面がコの字状の構造を成すことを示している。
【００６２】
また、図７のＢは、上記に記載の前掛けレンズＲに取付けられた取付具Ｖの取付け部１２ａが、レンズ材１３の主眼鏡Ｗ側のレンズ面縁に対し面貼付けを行うような貼付け面が平面の構造を成すことを示している。
【００６３】
図８は本発明の眼鏡に着脱自在な前掛けレンズの取付具において、取付具Ｖを取付けた前掛けレンズＲを、主眼鏡Ｗに装着する際の手順を示す図面である。
【００６４】
まず、図８のＡは、前掛けレンズＲのブリッジ側に取付けられた取付具Ｖの螺旋状の形態を成すフック１１を自由端の先端部から、主眼鏡Ｗのブリッジ２２に対し巻き付ける。
【００６５】
次に、図８のＢは、上記で主眼鏡Ｗのブリッジ２２に対し螺旋状の形態を成すフック１１を巻き付けた前掛けレンズＲを、前掛けレンズの装着時の捻り軌道Ｙのように捻りながら主眼鏡Ｗのレンズ面とほぼ平行に重なるように移動させる。即ち、前掛けレンズＲは裏面側（図８のＡ）から表面側に反転させる。
【００６６】
次に、図８のＣは、上記で主眼鏡Ｗのレンズ面とほぼ平行に重ねた前掛けレンズＲの智２３側の取付具Ｖの螺旋状の形態を成すフック１１を自由端の先端部から、主眼鏡Ｗの智２３に対し巻き付ければ、主眼鏡Ｗの片側のレンズに対し前掛けレンズＲの片側の装着が完了する。即ち、前掛けレンズRが主眼鏡Wに対し裏面側（図８のＡ）から表面側（図８のB）に反転して装着が完了する。
この場合、上記の手順に代えて主眼鏡Ｗの智２３に対し前掛けレンズＲの智２３側のフック１１の自由端の先端部を捻りながら巻き付けて後、主眼鏡Ｗのブリッジ２２に対し前掛けレンズＲのブリッジ２２側のフック１１の自由端の先端部を巻き付けてもよい。
【００６７】
次に、図８のＤは、上記の図８のＡからＣの手順を主眼鏡Ｗの未装着の他方側のレンズに対して行えば、主眼鏡Ｗの左右両レンズに対し前掛けレンズＲの左右両レンズの装着が完了する。
【００６８】
このように上記の一連の簡単な手段により主眼鏡Ｗの左右両レンズに装着された前掛けレンズＲは、取付具Ｖのフック１１の螺旋状の形態と柔軟で弾力性があり復元力を備えた材質（例えばシリコンなどの樹脂成形材）の部材による高い固着性により、ハードな運動を行ったとしてもズレたり剥脱をおこすことなく主眼鏡Ｗに対してしっかりと安定して保持し続けることができる。
【００６９】
図９は本発明の眼鏡に着脱自在な前掛けレンズの取付具において、取付具Ｖを使用する前掛けレンズＲを、素材から組立てる為の構成部品及び使用道具を示す図面である。
【００７０】
図９のＡは、前掛けレンズＲのレンズ材１３を加工するための、一般的な主眼鏡Ｗのレンズ又はレンズフレーム２１寸法より大きい2枚1組のレンズ素材１３ａであり、容易に切断加工が可能な適度な厚みの樹脂製の素材を用い、又その形状は板状の平面体ではなく主眼鏡Ｗとなる一般的な眼鏡のレンズの表面の湾曲を考慮した湾曲を持った面体を特徴とするが、その外円周の形状については特に真丸にこだわらない。  
【００７１】
図９のＢは、主眼鏡Ｗのブリッジ２２及び智２３に前掛けレンズＲを係止するための、前掛けレンズＲの左右レンズ材１３各々に取付けられる2組の取付具Ｖである。    
【００７２】
図９のＣは、型取りシート２９に主眼鏡Ｗのレンズ又はレンズフレーム２１の形状の型を取る際、及びレンズ素材１３ａに主眼鏡のレンズ又はレンズフレームの形状の型を切取った型取り部２９ａの形状の型を取る際に使用する筆記具２５である。
【００７３】
図９のＤは、主眼鏡Ｗのレンズ又はレンズフレーム２１の形状の型を取った型取りシート２９を切断加工する際、及び主眼鏡のレンズ又はレンズフレームの形状の型を切取った型取り部２９ａの形状の型を取ったレンズ素材１３ａを切断加工する際に使用する切断具２６であり、この切断具にはハサミやニッパー、カッターナイフなどでもよい。
【００７４】
図９のＥは、レンズ素材１３ａを切断加工した後に切断面を仕上げるための研磨具２７であり、この研磨具には金ヤスリや紙ヤスリ、爪きりに備えられたヤスリなどでもよい。
【００７５】
図９のＦは、前掛けレンズＲに備えられる取付具Ｖをレンズ材１３に取付ける際に使用するための接着材２８である。
【００７６】
図９のＧは、主眼鏡Ｗのレンズ又はレンズフレーム２１の形状の型を取るための型取りシート２９であり、レンズ材１３に対して型取りミスを防ぐための確認型取り用として用いるものである。
【００７７】
以上のような部品構成により、取付具Ｖを使用する前掛けレンズＲを製作することができる。
【００７８】
図１０は本発明の眼鏡に着脱自在な前掛けレンズの取付具において、前掛けレンズＲを主眼鏡Ｗに合わせて素材から組立てるための手順を示す図面である。
【００７９】
まず、図１０のＡは、主眼鏡Ｗのレンズ面を型取りシート２９の上に乗せ、レンズ又はレンズフレーム２１の外周の形状の型を筆記具２５にてなぞり撮る。
【００８０】
次に、図１０のＢは、上記で主眼鏡Ｗのレンズ又はレンズフレーム２１の外周の形状をなぞり撮った型を、型取りシート２９より切断具２６にて切り出す。
【００８１】
次に、図１０のＣは、上記で主眼鏡のレンズ又はレンズフレームの形状の型を切り出した型取り部２９ａを、前掛けレンズＲ用のレンズ素材１３ａの上に乗せ、主眼鏡のレンズ又はレンズフレームの形状の型を切取った型取り部２９ａの外周の形状の型を筆記具２５にてなぞり撮る。
【００８２】
次に、図１０のＤは、上記で主眼鏡のレンズ又はレンズフレームの形状の型を切り出した型取り部２９ａの外周の形状をなぞり撮った型を、前掛けレンズＲ用のレンズ素材１３ａより切断具２６にて切り出す。
【００８３】
次に、図１０のＥは、上記で前掛けレンズＲ用のレンズ素材１３ａより切り出したレンズ材１３の切断面を、研磨具２７にて仕上げる。
【００８４】
次に、図１０のＦは、上記で仕上げたレンズ材１３を、形状確認のために一度主眼鏡Ｗのレンズ又はレンズフレーム２１の外周に合わせる。
【００８５】
次に、図１０のＧは、上記で形状確認を行ったレンズ材１３に前掛けレンズＲ用の取付具Ｖを、主眼鏡Ｗのブリッジ２２及び智２３の装着に最適な位置に仮合わせを行う。
【００８６】
次に、図１０のＨは、上記でレンズ材１３に対し位置の仮合わせを行った取付具Ｖの取付け部１２を接着剤２８にてレンズ材１３の縁部に固定する。
【００８７】
次に、図１０のＩは、上記の図１０のＡからＨの手順を、前掛けレンズＲの未製作のもう片側のレンズ素材１３ａに対して行えば、主眼鏡Ｗの左右両レンズに装着可能な取付具Ｖを使用した左右の前掛けレンズＲが完成する。
【００８８】
このように上記の一連の手順により、デザインを気に入って購入した既存の主眼鏡Ｗの左右両レンズに、装着可能なサングラスなどの前掛けレンズＲを個人であっても手軽に低価格で製作・所持することが可能である。
【００８９】
しかし、個人で製作に自信のない方には、眼鏡店の充実した設備にての製作依頼も可能である。
【００９０】
主眼鏡Ｗに着脱自在な前掛けレンズＲが主眼鏡Ｗのレンズ又はレンズフレーム２１とほぼ同じサイズのレンズ材１３の実施例として説明をしたが、同じサイズとせず異なるサイズやオリジナルな形状としてもよい。また、前掛けレンズＲのレンズ材１３に固定される取付け部１２と、取付け部１２から延在する主眼鏡Ｗに係止するためのフック１１とから成る取付具Ｖの数が２個について説明したが、その数は主眼鏡Ｗと前掛けレンズＲとの関係で適宜選択すればよい。
更に、前記取付具Ｖのフック１１と取り付部１２とを柔軟で弾力性があり復元力を備えた材質を実施例として説明したが、フック１１のみを柔軟で弾力性があり復元力を備えた材質で構成してもよい。
【図面の簡単な説明】
【００９１】
【図１】本発明の実施例に係る前掛けレンズのブリッジ部における取付具の要部拡大図
【図２】本発明の実施例に係る前掛けレンズのブリッジ部における取付具の要部拡大図
【図３】本発明の実施例に係る前掛けレンズの智部における取付具の要部拡大図
【図４】本発明の実施例に係る前掛けレンズを主眼鏡に装着した状態の取付具の要部拡大図
【図５】本発明の実施例に係る取付具のフックの形態と螺旋構造のイメージを示す部品詳細図
【図６】本発明の実施例に係る取付具のフックの柔軟で弾力性があり復元力を備えた材質の構造のイメージを示す部品詳細図
【図７】本発明の実施例に係る取付具の取付け部の部品形態を示す部品詳細図
【図８】本発明の実施例に係る取付具を取付けた前掛けレンズを、主眼鏡に装着する際の手順を示す図面
【図９】本発明の実施例に係る取付具を使用する前掛けレンズを、素材から組立てる為の構成部品及び使用道具を示す図面
【図１０】本発明の実施例に係る取付具を使用する前掛けレンズを、主眼鏡に合わせて素材から組立てる手順を示す図面
【符号の説明】
【００９２】
１１    フック
１１ａ  フックの自由端を広げた巻き付け時の仮想形状
１１ｂ  フックの巻き付け時の捻れ軌道
１２    取付け部
１２ａ  取付け部
１３    レンズ材
１３ａ  レンズ素材
２１    レンズ又はレンズフレーム
２２    ブリッジ
２３    智
２４    テンプル
２５    筆記具
２６    切断具
２７    研磨具
２８    接着剤
２９    型取りシート
２９ａ  型取り部
Ｒ      前掛けレンズ
Ｖ      取付具
Ｗ      主眼鏡
Ｙ      前掛けレンズの装着時の捻り軌道
【図１】
2006227032.tif 000003
【図２】
2006227032.tif 000004
【図３】
2006227032.tif 000005
【図４】
2006227032.tif 000006
【図５】
2006227032.tif 000007
【図６】
2006227032.tif 000008
【図７】
2006227032.tif 000009
【図８】
2006227032.tif 000010
【図９】
2006227032.tif 000011
【図１０】
2006227032.tif 000012
【手続補正書】
【提出日】平成17年3月25日(2005.3.25)
【手続補正１】
【補正対象書類名】特許請求の範囲
【補正対象項目名】全文
【補正方法】変更
【補正の内容】
【特許請求の範囲】
【請求項１】
主眼鏡の左右各々のレンズのブリッジ及び智に対して着脱自在な前掛けレンズの左右各々のレンズ材の最適な位置に複数個取付けられる取付具であって、前記前掛けレンズの前記レンズ材に取付けるための取付け部と、前記主眼鏡に係止するために前記取付け部から延在するフックとから成り、前記取付具の前記取付け部と前記フックは柔軟で弾力性があり復元力を備えた材質にて一体成形されており、前記主眼鏡に前記前掛けレンズを装着する際に、前記復元力を利用して前記前掛けレンズに固定された前記取付具の前記フックを前記主眼鏡の左右各々の前記レンズの前記ブリッジ及び前記智に対して捻りながら巻き付けて係止するように構成されていることを特徴とする眼鏡に着脱自在な前掛けレンズの取付具。
【請求項２】
主眼鏡の左右各々のレンズのブリッジ及び智に対して着脱自在な前掛けレンズの左右各々のレンズ材の最適な位置に複数個取付けられる取付具であって、前記前掛けレンズの前記レンズ材に取付けるための取付け部と、前記主眼鏡に係止するために前記取付け部から延在するフックとから成り、少なくとも前記取付具の前記フックは柔軟で弾力性があり復元力を備えた材質にて成形されており、前記主眼鏡に前記前掛けレンズを装着する際に、前記復元力を利用して前記前掛けレンズに固定された前記取付具の前記フックを前記主眼鏡の左右各々の前記レンズの前記ブリッジ及び前記智に対して捻りながら巻き付けて係止するように構成されていることを特徴とする眼鏡に着脱自在な前掛けレンズの取付具。
【請求項３】
前記主眼鏡の左右各々の前記レンズの前記ブリッジ及び前記智に対して着脱自在な前記前掛けレンズの左右各々の前記レンズ材の最適な位置に複数個取付けられる前記取付具であって、該取付具の前記フックは前記復元力を備えた先端が自由端な螺旋状の形態を成しており、前記前掛けレンズを前記主眼鏡に装着する際に前記主眼鏡の左右各々の前記レンズの前記ブリッジ及び前記智に対して捻りながら巻き付くような構成で係止することを特徴とする請求項１または請求項２に記載の眼鏡に着脱自在な前掛けレンズの取付具。
【手続補正２】
【補正対象書類名】明細書
【補正対象項目名】００２８
【補正方法】変更
【補正の内容】
【００２８】
そして、本発明は上記のような課題を解決するために、主眼鏡Wの左右各々のレンズのブリッジ２２及び智２３に対して着脱自在な前掛けレンズRの左右各々のレンズ材１３の最適な位置に複数個取付けられる取付具Vであって、前掛けレンズRのレンズ材１３に取付けるための取付け部１２と、主眼鏡Wに係止するために取付け部１２から延在するフック１１とから成り、取付具Vの取付け部１２とフック１１は柔軟で弾力性があり復元力を備えた材質にて一体成形されており、主眼鏡Wに前掛けレンズRを装着する際に、復元力を利用して前掛けレンズRに固定された取付具Vのフック１１を主眼鏡Wの左右各々のレンズのブリッジ２２及び智２３に対して捻りながら巻き付けて係止する。
【手続補正３】
【補正対象書類名】明細書
【補正対象項目名】００２９
【補正方法】変更
【補正の内容】
【００２９】
または、主眼鏡Wの左右各々のレンズのブリッジ２２及び智２３に対して着脱自在な前掛けレンズRの左右各々のレンズ材１３の最適な位置に複数個取付けられる取付具Vであって、前掛けレンズRのレンズ材１３に取付けるための取付け部１２と、主眼鏡Wに係止するために取付け部１２から延在するフック１１とから成り、少なくとも取付具Vのフック１１は柔軟で弾力性があり復元力を備えた材質にて成形されており、主眼鏡Wに前掛けレンズRを装着する際に、復元力を利用して前掛けレンズRに固定された取付具Vのフック１１を主眼鏡Wの左右各々のレンズのブリッジ２２及び智２３に対して捻りながら巻き付けて係止する。
【手続補正４】
【補正対象書類名】明細書
【補正対象項目名】００３０
【補正方法】変更
【補正の内容】
【００３０】
そして、主眼鏡Wの左右各々のレンズのブリッジ２２及び智２３に対して着脱自在な前掛けレンズRの左右各々のレンズ材１３の最適な位置に複数個取付けられる取付具Vのフック１１は、復元力を備えた先端が自由端な螺旋状の形態を成しており、前掛けレンズRを主眼鏡Wに装着する際に主眼鏡Wの左右各々のレンズのブリッジ２２及び智２３に対して捻りながら巻き付くように係止する構成を採用している。
【手続補正５】
【補正対象書類名】明細書
【補正対象項目名】００３１
【補正方法】削除
【補正の内容】
【手続補正６】
【補正対象書類名】図面
【補正対象項目名】図１０
【補正方法】変更
【補正の内容】
【図１０】
2006227032.tif 000013
【手続補正書】
【提出日】平成17年7月28日(2005.7.28)
【手続補正１】
【補正対象書類名】特許請求の範囲
【補正対象項目名】全文
【補正方法】変更
【補正の内容】
【特許請求の範囲】
【請求項１】
主眼鏡の左右各々のレンズのブリッジ及び智に対して着脱自在な前掛けレンズの左右各々のレンズ材の最適な位置に複数個取付けられる取付具の取付け部から延在するフックは、柔軟で弾力性があり復元力を備えたシリコンなどの樹脂成形材にて成形されていて、前記前掛けレンズを前記主眼鏡に装着する際は、前記主眼鏡の左右各々の前記レンズの前記ブリッジ及び前記智に対して捻りながら絡めるように巻き付けるためにフックの先端が自由端で螺旋状を成していることを特徴とする眼鏡に着脱自在な前掛けレンズの取付具及び取付方法。
【請求項２】
前記主眼鏡の左右各々の前記レンズの前記ブリッジ及び前記智に対して着脱自在な前記前掛けレンズの左右各々の前記レンズ材の最適な位置に複数個取付けられる前記取付具であって、前記前掛けレンズの前記レンズ材に取付けるための前記取付け部と、前記主眼鏡に係止するために前記取付け部から延在する先端が自由端で螺旋状の形態を成す前記フックとから成り、少なくとも前記取付具の前記フックは柔軟で弾力性があり復元力を備えたシリコンなどの樹脂成形材にて成形されていて、前記主眼鏡に前記前掛けレンズを装着する際は、前記前掛けレンズに固定されたブリッジ側の前記取付具の螺旋状の形態を成す前記フックの自由端の先端部から前記主眼鏡の前記ブリッジに対し絡めるように巻き付けた後、前記前掛けレンズを前記主眼鏡に対し裏面側から表面側に反転し前記主眼鏡のレンズ面とほぼ平行に重なるように捻りながら移動させ、前記前掛けレンズの智側の前記取付具の螺旋状の形態を成す前記フックの自由端の先端部から、前記主眼鏡の前記智に対して捻りながら絡めるように巻き付けて係止するように構成されていることを特徴とする請求項１に記載の眼鏡に着脱自在な前掛けレンズの取付具及び取付方法。
【手続補正３】
【補正対象書類名】明細書
【補正対象項目名】００２８
【補正方法】変更
【補正の内容】
【００２８】
そして、本発明は上記のような課題を解決するために、主眼鏡Wの左右各々のレンズのブリッジ２２及び智２３に対して着脱自在な前掛けレンズRの左右各々のレンズ材１３の最適な位置に複数個取付けられる取付具Vの取付け部１２から延在するフック１１は、柔軟で弾力性があり復元力を備えたシリコンなどの樹脂成形材にて成形されていて、前掛けレンズRを主眼鏡Wに装着する際は、主眼鏡Wの左右各々のブリッジ２２及び智２３に対して捻りながら絡めるように巻き付けるためにフック１１の先端が自由端で螺旋状を成している。
【手続補正４】
【補正対象書類名】明細書
【補正対象項目名】００２９
【補正方法】変更
【補正の内容】
【００２９】
また、主眼鏡Wの左右各々のレンズのブリッジ２２及び智２３に対して着脱自在な前掛けレンズRの左右各々のレンズ材１３の最適な位置に複数個取付けられる取付具Vであって、前掛けレンズRのレンズ材１３に取付けるための取付け部１２と、主眼鏡Wに係止するために取付け部１２から延在する先端が自由端で螺旋状の形態を成すフック１１とから成り、少なくとも取付具Vのフック１１は柔軟で弾力性があり復元力を備えたシリコンなどの樹脂成形材にて成形されていて、主眼鏡Wに前掛けレンズRを装着する際は、前掛けレンズRに固定されたブリッジ２２側の取付具Vの螺旋状の形態を成すフック１１の自由端の先端部から主眼鏡Wのブリッジ２２に対し絡めるように巻き付けた後、前掛けレンズＲを主眼鏡Wに対し裏面側から表面側に反転し主眼鏡Ｗのレンズ面とほぼ平行に重なるように捻りながら移動させ、前掛けレンズＲの智２３側の取付具Ｖの螺旋状の形態を成すフック１１の自由端の先端部から、主眼鏡Ｗの智２３に対して捻りながら絡めるように巻き付けて係止する。
【手続補正５】
【補正対象書類名】明細書
【補正対象項目名】００３０
【補正方法】削除
【補正の内容】